(57)【要約】【課題】天井や壁面を簡単な作業で電飾でき、使い勝手の良いＬＥＤ電飾照明器を提供すること。【解決手段】電源回路部１４を天井１１に設置された引掛けシーリングローゼット１２に着脱可能な引掛けシーリングプラグ１３に一体に設け、引掛けシーリングプラグ１３を引掛けシーリングローゼット１２に取り付ければ、電源回路部１４と壁面に設置された電源コンセントをコードで接続しなくても電源回路部１４からＬＥＤチップ１６の列に給電できる。そのため、使い勝手が良く、また電源回路部１４を床やテーブルに置く、あるいはコードを床、壁面、天井等に這わせる等の必要がないので、室内の美観が損なわれない。【選択図】図２
2018133338.tif 000002
【特許請求の範囲】
【請求項１】
複数個のＬＥＤチップを長手方向に沿って並べて固着し、ＬＥＤチップの列を形成した電線ワイヤと、商用交流電源の電流を直流に変換し、電線ワイヤを通してＬＥＤチップの列に給電する電源回路部を備えたＬＥＤ電飾照明器であって、
天井に設けられた商用交流電源に接続されるコネクタに電源回路部を一体に設けたことを特徴とするＬＥＤ電飾照明器。
【請求項２】
前記コネクタとして、天井に設置された引掛けシーリングローゼットに着脱可能なプラグに電源回路部を一体に設けたことを特徴とする請求項１に記載のＬＥＤ電飾照明器。
【請求項３】
前記コネクタとして、天井に設置されたダクトレールに着脱可能なプラグに電源回路部を一体に設けたことを特徴とする請求項１に記載のＬＥＤ電飾照明器。
【請求項４】
前記コネクタとして、電球が装着されるソケットに着脱可能な口金に電源回路部を一体に設けたことを特徴とする請求項１に記載のＬＥＤ電飾照明器。
【請求項５】
前記電線ワイヤを天井又は壁面に留める留め具を備えたことを特徴とする請求項１に記載のＬＥＤ電飾照明器。
【発明の詳細な説明】
【技術分野】
【０００１】
本発明は、複数個のＬＥＤチップを固着してＬＥＤチップの列を形成した電線ワイヤと、商用交流電源から電流を直流に変換し、電線ワイヤを通してＬＥＤチップの列に給電する電源回路部を備えたＬＥＤ電飾照明器に関する。
【背景技術】
【０００２】
この種のＬＥＤ電飾照明器は、電線ワイヤを門、塀、植木等の屋外設置物、あるいは室内の壁や天井、置物等に張り付けて、人物や動物、各種図形等様々な輪郭を夜間、ＬＥＤチップの輝点で表し、屋外や室内を装飾するために用いられる。
【先行技術文献】
【特許文献】
【０００３】
【特許文献１】引用無し
【発明の概要】
【発明が解決しようとする課題】
【０００４】
ところで、従来のＬＥＤ電飾照明器を室内で使用して天井や壁面を装飾する場合、電源回路部からコードを延ばし、コード先端のプラグを商用交流電源のコンセントに接続しているが、その際、床やテーブルに電源回路部を設置し、あるいは、床や壁面にコードを這わせるので室内の美観が損なわれる。
また、美観が損なわれないようにするには、電源回路部の設置場所を工夫しなければならず、使い勝手が悪い。
本発明はかかる点に鑑み、天井や壁面を簡単な作業で電飾でき、使い勝手の良いＬＥＤ電飾照明器を提供することを目的とする。
【課題を解決するための手段】
【０００５】
請求項１に記載の発明は、複数個のＬＥＤチップを長手方向に沿って並べて固着し、ＬＥＤチップの列を形成した電線ワイヤと、商用交流電源の電流を直流に変換し、電線ワイヤを通してＬＥＤチップの列に給電する電源回路部を備えたＬＥＤ電飾照明器であって、
天井に設けられた商用交流電源に接続されるコネクタに電源回路部を一体に設けたことを特徴とする。
【０００６】
請求項２に記載の発明は、請求項１に記載のＬＥＤ電飾照明器において、
前記コネクタとして、天井に設置された引掛けシーリングローゼットに着脱可能なプラグに電源回路部を一体に設けたことを特徴とする。
【０００７】
請求項３に記載の発明は、請求項１に記載のＬＥＤ電飾照明器において、
前記コネクタとして、天井に設置されたダクトレールに着脱可能なプラグに電源回路部を一体に設けたことを特徴とする。
【０００８】
請求項４に記載の発明は、請求項１に記載のＬＥＤ電飾照明器において、
前記コネクタとして、電球が装着されるソケットに着脱可能な口金に電源回路部を一体に設けたことを特徴とする。
【０００９】
そして、好ましくは、電線ワイヤを天井又は壁面に留める留め具を備える。
【発明の効果】
【００１０】
本発明によれば、天井に設置された引掛けシーリングローゼットに着脱可能なプラグ、天井に設置されたダクトレールに着脱可能なプラグ、又は電球が装着されるソケットに着脱可能な口金等、天井に設けられた商用交流電源に接続されるコネクタに電源回路部を一体に設けたので、プラグを引掛けシーリングローゼットや、ダクトレールに装着し、あるいは、天井に設置されている、若しくは天井から吊り下げられている電球用ソケットに口金を装着すれば、電源回路部からＬＥＤチップの列に給電できる。そのため、使い勝手が良く、また電源回路部を床やテーブルに置く必要もなく、電源回路部から延びるコードを床、壁面、天井等に這わせる必要もないので、室内の美観が損なわれない。
【図面の簡単な説明】
【００１１】
【図１】本発明の第１実施例に係るＬＥＤ電飾照明器を示す説明図である。
【図２】同ＬＥＤ電飾照明器の使用方法を示す説明図である。
【図３】本発明の第２実施例に係るＬＥＤ電飾照明器を示す説明図である。
【図４】同ＬＥＤ電飾照明器の使用方法を示す説明図である。
【図５】本発明の第３実施例に係るＬＥＤ電飾照明器を示す説明図である。
【図６】同ＬＥＤ電飾照明器の使用方法を示す説明図である。
【実施例１】
【００１２】
以下に本発明を図面に基づき説明する。図１及び図２には本発明の第１実施例に係るＬＥＤ電飾照明器１０が示されている。当該ＬＥＤ電飾照明器１０は、天井１１に設置された引掛けシーリングローゼット１２に着脱可能に係止される引掛けシーリングプラグ１３、引掛けシーリングプラグ１３と一体に設けた電源回路部１４及び複数本の電線ワイヤ１５を備えている。
【００１３】
電線ワイヤ１５には、その長手方向に沿って複数個のＬＥＤチップ１６が並べて固着され、ＬＥＤチップ１６の列が形成されている。電線ワイヤ１５は一端にＵＳＢ端子１７を有し、電源回路部１４に設けた端子口１４ａに着脱可能に接続される。
【００１４】
電源回路部１４には商用交流電源の電流を直流に変換して電線ワイヤ１５のＬＥＤチップ１６の列に給電する電源回路と、ＬＥＤチップ１６が一定周期の点滅、不規則な時間間隔での点滅、瞬間パルス的な点滅、輝度が漸増し、若しくは漸減するフェードイン、フェードアウト効果、不連続的な色変化等の照明効果を奏するようにＬＥＤチップ１６の点灯を制御する制御回路が内蔵されている。
【００１５】
本実施例に係るＬＥＤ電飾照明器１０の構成は以上の通りであって、使用例を図２に示す。電線ワイヤ１５を天井１１に張り巡らせて、留め具１８で留める。ＵＳＢ端子１７を端子口１４ａに装着して電線ワイヤ１５と電源回路部１４を接続し、引掛けシーリングプラグ１３を天井１１に設置されている引掛けシーリングローゼット１２に取り付ける。
【００１６】
本実施例に係るＬＥＤ電飾照明器１０によれば、電源回路部１４を天井１１に設置された引掛けシーリングローゼット１２に着脱可能な引掛けシーリングプラグ１３に一体に設けたので、引掛けシーリングプラグ１３を引掛けシーリングローゼット１２に取り付ければ、電源回路部１４と壁面に設置された電源コンセントをコードで接続しなくても電源回路部１４からＬＥＤチップ１６の列に給電できる。そのため、使い勝手が良く、また電源回路部１４を床やテーブルに置く、あるいはコードを床、壁面、天井等に這わせる等の必要がないので、室内の美観が損なわれない。
【実施例２】
【００１７】
本発明の第２実施例に係るＬＥＤ電飾照明器２０を図３及び図４に示す。当該ＬＥＤ電飾照明器２０は、天井１１に敷設されているダクトレール２１に着脱されるプラグ２２に電源回路部２３が一体に設けられている。ＬＥＤチップ１６の列を形成した電線ワイヤ２４は丸型ソケット２５を有し、電源回路部２３には丸型ソケット２５が装着できる端子口２３ａが設けられている。
【００１８】
本実施例に係るＬＥＤ電飾照明器２０の使用方法を図４に示す。電線ワイヤ２４を天井１１に張り巡らせて、留め具１８で留め、丸型ソケット２５を端子口２３ａに差し込んで電源回路部２３に接続し、プラグ２２をダクトレール２１に連結する。
【実施例３】
【００１９】
本発明の第３実施例に係るＬＥＤ電飾照明器３０を図５及び図６に示す。当該ＬＥＤ電飾照明器３０の電源回路部３１は天井１１に設けた電球用ソケット３２や、天井１１から吊り下げられている電球用ソケットに装着できる口金３３に一体に設けられている。ＬＥＤチップ１６の列を形成した電線ワイヤ３４は２Ｐソケット３５を有し、電源回路部３１には２Ｐソケット３５が装着できる端子口３１ａが設けられている。
【００２０】
本実施例に係るＬＥＤ電飾照明器３０の使用方法を図６に示す。口金３３を電球用ソケット３２にねじ込んで装着した後、電線ワイヤ３４を天井１１に張り巡らせて、留め具１８で留め、２Ｐソケット３５を端子口３１ａに差し込んで電源回路部３１に接続する。
【符号の説明】
【００２１】
１０…ＬＥＤ電飾照明器
１１…天井
１２…引掛けシーリングローゼット
１３…引掛けシーリングプラグ
１４…電源回路部
１５…電線ワイヤ
１６…ＬＥＤチップ
１８…留め具
２０…ＬＥＤ電飾照明器
２１…ダクトレール
２２…プラグ
２３…電源回路部
２４…電線ワイヤ
３０…ＬＥＤ電飾照明器
３１…電源回路部
３２…ソケット
３３…口金
３４…電線ワイヤ
【図１】
2018133338.tif 000003
【図２】
2018133338.tif 000004
【図３】
2018133338.tif 000005
【図４】
2018133338.tif 000006
【図５】
2018133338.tif 000007
【図６】
2018133338.tif 000008